(57)【要約】【課題】　快適で便利に使用できる中又は低周波のマッサージブラジャーを提供する。【解決手段】　複数の導体１が予めブラジャー１０の選定された位置に固定で設けられている。それぞれの導体１の一端が正極又は負極の導電プレート１１と接続し、別の一端が導電バックル１２に伸びて接続することで、複数の導電バックル１２は集中してブラジャー１０の選定された位置に伸びて接続する。集中で配列された導電バックル１２は一つの電気励起コントローラーの導電バックルとマッチングして対応するので、マッサージブラジャー１０は電気励起コントローラーと結び付けられる。通電する場合、導電プレート１１を人体に貼ることで、中又は低周波を生じて、人体をマッサージして、健康を増進する機能を達成可能である。【選択図】　　図１
0003100745.tif 000002
【実用新案登録請求の範囲】
【請求項１】
　複数の導体（１）が予めブラジャー（１０）の選定された位置に固定で設けられ、それぞれの導体（１）の一端が正極又は負極の導電プレート（１１）と接続し、別の一端が導電バックル（１２）に伸びて接続することで、複数の導電バックル（１２）は集中してブラジャー（１０）の選定された位置に伸びて接続し、且つ、集中で配列された導電バックル（１２）は一つの電気励起コントローラー（２）の導電バックル（２１）とマッチングして対応するので、マッサージブラジャー（１０）は電気励起コントローラー（２）と結び付けられ、通電する場合、導電プレート（１１）を人体に貼ることで、中又は低周波を生じて、人体をマッサージして、健康を増進する機能を達成可能であることを特徴とする中又は低周波のマッサージブラジャー。
【請求項２】
　導体（１）及び導電プレート（１１）は、ミシンでブラジャー（１０）に固定で設け、導体（１）がブラジャー（１０）の内層に内蔵され、導電プレート（１１）を外部に露出させ、人体に貼ることが可能であることを特徴とする請求項１に記載の中又は低周波のマッサージブラジャー。
【請求項３】
　電気励起コントローラー（２）の中に、一つの中心ＩＣが設けられ、ＩＣを利用してパルスの波形を伝送することで、インダクタンス及びコンデンサに充放電して高圧を生じさせ、又、プログラムによるパルス幅を制御することで、強さの異なる中又は低周波のマッサージブラジャーを生じさせることを特徴とする請求項１に記載の中又は低周波のマッサージブラジャー。
【請求項４】
　電気励起コントローラー（２）のパルス幅は、１ＨＺ〜１５０ＨＺの間に設定することを特徴とする請求項３に記載の中又は低周波のマッサージブラジャー。
【請求項５】
　電気励起コントローラー（２）は、一つのパルス高圧を提供して、それをそれぞれ複数の導電バックル（２１）に伸びて接続することで、一つの出力端が構成されることを特徴とする請求項１に記載の中又は低周波のマッサージブラジャー。
【請求項６】
　電気励起コントローラー（２）のある側に、通電区域を選んで制御可能である区分スイッチ（１４）が設けられることを特徴とする請求項１に記載の中又は低周波のマッサージブラジャー。
【請求項７】
　ブラジャー（１０）の一側か両側に同時に、１個又は２個の押すことで電気励起の強さを調整可能である制御キー（２２ａ）が伸びて増設され、制御キー（２２ａ）は導体（１）で導電バックル（１２）の集中位置に連接して、電気励起コントローラー（２）とマッチングして結び付けられることを特徴とする請求項１に記載の中又は低周波のマッサージブラジャー。
【請求項８】
　導体（１）の別の一端は、単独で一つの導電バックル（１２）に伸びて接続し、導電バックル（１２）はバックルのセミアセンブリー（１２ａ）およびバックルのセミアセンブリー（１２ｂ）を利用して、ブラジャーの内部の布層（１０１）および外部の布層（１０２）を貫通することを特徴とする請求項１に記載の中又は低周波のマッサージブラジャー。
【請求項９】
　ブラジャー（１０）の導電プレート（１１）とカップの外層（１０３）との間に、一つのポケット（１０４）が設けられ、その上にパット（１０５）を入れることが可能であることを特徴とする請求項１に記載の中又は低周波のマッサージブラジャー。
【請求項１０】
　それぞれの導体（１）の一端は、１セット又は１セット以上の正極又は負極の導電プレートと接続することが可能であることを特徴とする請求項１に記載の中又は低周波のマッサージブラジャー。
【請求項１１】
　１セット又は１セット以上の正極及び負極を含む導電プレート（１１）及び電気励起コントローラー（２）で構成され、それは独立で構成される正極及び負極の導電プレート（１１）に同一の導電バックル（１２）を設けることで、電気励起コントローラー（２）と結び付け、又、正極及び負極の導電プレート（１１）を電気励起コントローラー（２）と接続した後、それを直接ブラジャー（１００）の中に挿入可能であることを特徴とする請求項１に記載の中又は低周波のマッサージブラジャー。
【請求項１２】
　導体は、導電布を使うことを特徴とする請求項１に記載の中又は低周波のマッサージブラジャー。
【請求項１３】
　導体は、導電布を使うことを特徴とする請求項１１に記載の中又は低周波のマッサージブラジャー。
【請求項１４】
　電気励起コントローラー（２）は、一つの接続ライン（３）で有線連結ユニットが形成され、接続ライン（３）の両端にすべて導電バックル（１２）又は導電バックル（２１）とマッチング可能である伝導接続部（３１）があり、それによりそれぞれブラジャー（１０）の複数の導電バックル（１２）及び電気励起コントローラー（２）の複数の導電バックル（２１）に接続するので、電気励起コントローラー（２）は伸びて外部に設けられることを特徴とする請求項１に記載の中又は低周波のマッサージブラジャー。
【考案の詳細な説明】
【技術分野】
【０００１】
　本考案は、中又は低周波のマッサージブラジャーに関するものである。特に、ブラジャーに集中で配列する導電バックルを設けて、一つの電気励起コントローラーと対応して結び付けることで、マッサージと脂肪減少などの健康を増進する効果を達成できるのである。
【背景技術】
【０００２】
　従来の中又は低周波の健康増進補助器（按摩器又は治療器も言う）は、コントローラー、シリカゲル電極プレート、シリカゲル軟膏（普通導電ゲルを言う）又はシリカゲル電極カップなどのパーツで構成されているので、コストが高くて、使用するタイミング及び場所はすべて特定に制限されるし、導電の効果がよくない。更に、体の使用部位にシリカゲル軟膏を塗ることが必要なので、使用する場合、凄く快適ではない感じが出るし、洗う時ものすごく洗いにくい。その他、シリカゲル電極プレート又はシリカゲルカップはすべて硬くて厚いものであるので、それをつける場合、大変重くて快適ではない感じが出るし、体に密着して隠すことが出来ないため、使用空間を占めるし、いつでも使用することができないのである。
【考案の開示】
【考案が解決しようとする課題】
【０００３】
　本考案の目的は、中又は低周波のマッサージブラジャーを提供することにある。
【課題を解決するための手段】
【０００４】
　中又は低周波のマッサージブラジャーに関するものである。それは、複数の導体が予めブラジャーの内壁の選定された位置に固定で設けられ、それぞれの導体の一端を正極又は負極の導電プレートと接続し、別の一端を導電バックルに伸びて接続することで、複数の導電バックルを集中でブラジャーの選定された位置に伸びて接続する。且つ、集中で配列された導電バックルは一つの電気励起コントローラーの導電バックルとマッチングして対応するので、マッサージブラジャーは電気励起コントローラーと結び付けられる。通電する場合、導電プレートを人体に貼ることで、中又は低周波を生じて、人体をマッサージして、健康を増進する機能を達成できるのである。
【考案を実施するための最良の形態】
【０００５】
　図１及び図２の通り、この考案の実施例は「中又は低周波のマッサージブラジャー」の設計に関するものである。それは、複数の導体１が予めブラジャー１０の選定された位置に固定で設けられ、それぞれの導体１の一端が正極又は負極の導電プレート１１と接続し、別の一端が導電バックル１２に伸びて接続することで、複数の導電バックル１２は集中でブラジャー１０の選定された位置に伸びて接続する。且つ、集中で配列された導電バックル１２は一つの電気励起コントローラー２（図３及び図４の通り）の導電バックル２１とマッチングして対応するので、マッサージブラジャー１０は電気励起コントローラー２（図２又は図５の通り）と結び付けられる。通電する場合、導電プレート１１を人体に貼ることで、中又は低周波を生じて、人体をマッサージして、健康を増進する機能を達成できるのである。
【０００６】
　上述の導体１及び導電プレート１１をミシンでブラジャー１０に固定で設け、導体１がブラジャー１０の内層に内蔵され、導電プレート１１を外部に露出させ、人体の胸に貼ることができるのである。
【０００７】
　上述の各導体１の別の一端はすべて単独で一つの導電バックル１２に伸びて接続し、導電バックル１２はバックルのセミアセンブリー１２ａ及びバックルのセミアセンブリー１２ｂを利用して、ブラジャーの内部の布層１０１及び外部の布層１０２（図６の通り）を貫通するので、導体１がブラジャー１０の内層に内蔵され、導電バックル１２を外部に露出させ、人体の胸に貼ることができるのである。
【０００８】
　電気励起コントローラー２があり、それは、主に、内部に一つの中心ＩＣが設けられ、ＩＣを利用してパルスの波形を伝送することで、インダクタンス及びコンデンサに充放電して高圧を生じさせる。又、プログラムによるパルス幅（約１ＨＺ〜１５０ＨＺ）を制御することで、強さの異なるマッサージの感覚を生じさせる。又、電気励起コントローラー２は複数のコントロールキー２２を備え、それぞれ電流のアップ（ＵＰ）又はダウン（ＤＯＷＮ）の制御、時間設定の制御、電源のオン／オフ（ＯＮ／ＯＦＦ）又はマッサージモードを選ぶ。電気励起コントローラー２が一つの液晶表示器１２を備えることで、制御モードを表示する。又、内部の電気回路（図７の通り）により、一つのパルス高圧を提供して、それをそれぞれ複数の導電バックル２１に伸びて接続することで、一つの出力端が構成される。又、電気励起コントローラー２のある側に通電区域を選んで制御できる区分スイッチ１４が設けられるのである。
【０００９】
　上述のブラジャー１０は一側か両側に同時に、１個又は２個の押すことで電気励起の強さを調整できる制御キー２２ａが伸びて増設され、制御キー２２ａは導体１で導電バックル１２の集中位置に連接して、電気励起コントローラー２とマッチングして結び付けられた後、制御キー２２ａを利用して、押す方式で電気励起マッサージの強さを制御及び調整できる。
【００１０】
　図８及び図９の通り、上述のブラジャー１０の導電プレート１１とカップの外層１０３との間に、一つのポケット１０４が設けられ、その上にパット１０５を入れることが出来る。
　それにより、導電プレート１１を押すことで、導電プレート１１を人体の胸とベターに貼る状態になる（図１０の通り）。この設計は特に胸の小さい人にもっとも適用される。
【００１１】
　図１１〜図１６のそれぞれの実施例の通り、複数導体１の一端は１セット又は１セット以上の正極又は負極を呈する導電プレート１１と接続できる。それぞれの正極又は負極を呈する導電プレート１１を需要によりそれぞれのつぼ部位又は太る部位の対応位置に設けることで、豊胸、リハビリ―、血行、ダイエット又は脂肪を砕けるなどの多重な健康を増進する効果を達成できるのである。
【００１２】
　１セット又は１セット以上の正極及び負極を含む導電プレート１１及び一つの電気励起コントローラー２を組み立てるのに本考案の精神を適用するには、図１７の実施例に示すように、独立で構成される正極及び負極の導電プレート１１（分離又は接続する形態）に、同一の導電バックル１２を設けることで、電気励起コントローラー２と結び付けて、普段正極及び負極の導電プレート１１はブラジャー１０と分離状態を呈するが、使用する場合、導電プレート１１及び電気励起コントローラー２の組み立てる物件（即ち、図１７で示す形態）を直接従来のブラジャー１００（図１８の通り）の中に挿入することで、従来のブラジャーは電気励起コントローラー２と結び付けられる。又、通電する場合、導電プレートを利用して、人体に貼ることで、中又は低周波を生じて、人体をマッサージして、健康を増進する機能を達成できる。この設計は、特に、従来のブラジャー１００と直接結び付けて使用できるので、導体１をブラジャーの内層に隠す又は導電バックル１２を増設することがいらないし、ブラジャーの構造を変更することも必要ではないのである。
　この考案の実施例に採用する導体１は、一般の導電ワイヤを使ってもよいが、柔らかくて快適な特性がある導電布を使うのがもっと良いのである。
【００１３】
　図１９の通り、この考案の実施例のブラジャーの構成について、電気励起コントローラー２は一つの接続ライン３で有線連結ユニットが形成され、接続ライン３の両端にそれぞれ導電バックルとマッチングできる伝導接続部３１があり、それにより、それぞれブラジャー１０の複数の導電バックル１２及び電気励起コントローラー２の複数の導電バックル２１に接続するので、電気励起コントローラー２は伸びて外部に設けられることで、服のポケットの中に入れるか、手に握られるので、いつでもそれを調整及び制御できるのである。
【００１４】
　この考案の主な目的は、中又は低周波のマッサージブラジャーの設計を提供するものである。それは、ブラジャーに改良を実施する。即ち、予めブラジャーの上に複数の導体を設け、導体の両端にそれぞれ導電プレート及び導電バックルを設けることで、導電プレートが正極プレート又は負極プレートになるし、人体に貼ることができる。又、複数の導電バックルを集中でブラジャーの選定された位置に伸びて接続する。且つ、各導電バックルの集中で配列された形態は電気励起コントローラーの導電バックル２１とマッチングして対応するので、マッサージブラジャーは電気励起コントローラーと結び付けられる。又、電気励起コントローラーの制御モードにより、ブラジャーが中又は低周波でマッサージすることで、健康を増進する機能を備えるし、豊胸、リハビリ―、血行、ダイエット又は脂肪を砕けるなどの著しい健康を増進する効果も達成できるのである。
【００１５】
　この考案の次の目的は、中又は低周波のマッサージブラジャーを提供するものである。それはブラジャーの一側か両側に同時に、１個又は２個の電気励起の強さを調整できる制御キーが伸びて増設され、制御キーは導体で導電バックルの集中位置に連接して、電気励起コントローラー２とマッチングして結び付けられた後、制御キーを利用して、押す方式で電気励起によるマッサージの強さを制御及び調整できるのである。
【００１６】
　この考案の又一つの目的は、中又は低周波のマッサージブラジャー設計を提供するものである。電気励起コントローラーも一つの接続ラインで有線連結ユニットを形成することで、電気励起コントローラーが外部に伸びて設けられるので、ポケットに入れるか手に握られ、いつでもそれを調整及び制御できるのである。
【図面の簡単な説明】
【００１７】
【図１】本考案の一実施例による中又は低周波のマッサージブラジャーを人体に付ける状態を示す模式図である。
【図２】本考案の一実施例による中又は低周波のマッサージブラジャーをコントローラーと結び付ける状態を示す模式図である。
【図３】本考案の一実施例による中又は低周波のマッサージブラジャーのコントローラーの正面の斜視図である。
【図４】本考案の一実施例による中又は低周波のマッサージブラジャーのコントローラーの背面の斜視図である。
【図５】本考案の一実施例による中又は低周波のマッサージブラジャーのコントローラーをブラジャーとラッチする状態を示す断面図である。
【図６】本考案の一実施例による中又は低周波のマッサージブラジャーの導電プレート、導電バックル及びブラジャーの布層を示す分解斜視図である。
【図７】本考案の一実施例による中又は低周波のマッサージブラジャーのコントローラーの電気回路配置図である。
【図８】本考案の一実施例による中又は低周波のマッサージブラジャーをパットと合わせて実施する状態を示す模式図である。
【図９】本考案の一実施例による中又は低周波のマッサージブラジャーにパットを入れていない状態を示す模式図である。
【図１０】本考案の一実施例による中又は低周波のマッサージブラジャーにパットを入れた状態を示す模式図である。
【図１１】本考案の一実施例による中又は低周波のマッサージブラジャーのブラジャーの異なる部位に１セット又は１セット以上の正極又は負極の導電プレートを設ける状態を示す模式図である。
【図１２】本考案の一実施例による中又は低周波のマッサージブラジャーのブラジャーの異なる部位に１セット又は１セット以上の正極又は負極の導電プレートを設ける状態を示す模式図である。
【図１３】本考案の一実施例による中又は低周波のマッサージブラジャーのブラジャーの異なる部位に１セット又は１セット以上の正極又は負極の導電プレートを設ける状態を示す模式図である。
【図１４】本考案の一実施例による中又は低周波のマッサージブラジャーのブラジャーの異なる部位に１セット又は１セット以上の正極又は負極の導電プレートを設ける状態を示す模式図である。
【図１５】本考案の一実施例による中又は低周波のマッサージブラジャーのブラジャーの異なる部位に１セット又は１セット以上の正極又は負極の導電プレートを設ける状態を示す模式図である。
【図１６】本考案の一実施例による中又は低周波のマッサージブラジャーのブラジャーの異なる部位に１セット又は１セット以上の正極又は負極の導電プレートを設ける状態を示す模式図である。
【図１７】本考案の一実施例による中又は低周波のマッサージブラジャーの導電プレート及び電気励起コントローラーを独立で組み合わせる状態を示す斜視図である。
【図１８】本考案の一実施例による中又は低周波のマッサージブラジャーの導電プレート及び電気励起コントローラーを独立で組み立てて応用する状態を示す模式図である。
【図１９】本考案の一実施例による中又は低周波のマッサージブラジャーが一つの連接線を利用して、有線接続組立が形成される状態を示す模式図である。
【符号の説明】
【００１８】
　１　導体、２　電気励起コントローラー、３　接続ライン、１０　ブラジャー、１１　導電プレート、１２　導電バックル、１２ａ　バックルのセミアセンブリー、１２ｂ　バックルのセミアセンブリー、２１　導電バックル、２２　制御キー、２２ａ　制御キー、２３　液晶表示ボード、２４　区分スイッチ、３１　伝導接続部、１００　従来のバラ―ジャー、１０１　内部の布層、１０２　外部の布層、１０３　カップの外層、１０４　ポケット、１０５　パット
【図１】
0003100745.tif 000003
【図２】
0003100745.tif 000004
【図３】
0003100745.tif 000005
【図４】
0003100745.tif 000006
【図５】
0003100745.tif 000007
【図６】
0003100745.tif 000008
【図７】
0003100745.tif 000009
【図８】
0003100745.tif 000010
【図９】
0003100745.tif 000011
【図１０】
0003100745.tif 000012
【図１１】
0003100745.tif 000013
【図１２】
0003100745.tif 000014
【図１３】
0003100745.tif 000015
【図１４】
0003100745.tif 000016
【図１５】
0003100745.tif 000017
【図１６】
0003100745.tif 000018
【図１７】
0003100745.tif 000019
【図１８】
0003100745.tif 000020
【図１９】
0003100745.tif 000021